(57)【要約】      （修正有）【課題】色相の改善されたポリオキシアルキレンアルキルアミン含有界面活性剤組成物を提供する。【解決手段】脂肪族アミン１モルに対して１モル以上のアルキレンオキシドをふかしたポリオキシアルキレンアルキルアミンには経時的な着色の問題を解決する、（Ａ）ポリオキシアルキレンアルキルアミン混合物及び（Ｂ）亜リン酸及び／又は亜硫酸水素ナトリウムを（Ｃ）組成物全体に対してＢ成分を０．１〜２．０Ｗｔ％の濃度で含有することを特徴とするポリオキシアルキレンアルキルアミン含有界面活性剤組成物。【選択図】なし【特許請求の範囲】
【請求項１】
（Ａ）ポリオキシアルキレンアルキルアミン混合物及び
（Ｂ）亜リン酸及び／又は亜硫酸水素ナトリウムを
（Ｃ）組成物全体に対してＢ成分を０．１〜２．０Ｗｔ％の濃度で含有する
ことを特徴とするポリオキシアルキレンアルキルアミン含有界面活性剤組成物。
【請求項２】
（Ａ）ポリオキアルキレンアルキルアミン混合物が下記一般式（１）で示される脂肪族第１級アミンのアルキレンオキサイド付加物混合物である請求項１記載の界面活性剤組成物。
【化１】
2014221854.tif 000006
［但し式中Ｒ１は直鎖、分枝鎖を含んでもよい炭素数６〜２２のアルキル基、アルケニル基又はアルキル基／アルケニル基の混合物を示し、Ａ１Ｏ、Ａ２Ｏは各々オキシエチレン基、オキシプロピレン基から選ばれるオキシアルキレン基であり、同時にオキシエチレン基、オキシプロピレン基の混合でも良い。ｍ，ｎは互いに独立に０以上の実数であり、１≦（ｍ＋ｎ）≦３の関係がある。］
【請求項３】
下記一般式（２）の脂肪族一級アルキルアミン１モルに対して亜リン酸及び／又は亜硫酸水素ナトリウムの存在下で下記一般式（３）のアルキレンオキサイドを１〜３モル反応させることを特徴とする下記一般式（１）のポリオキシアルキレンアルキルアミンを含有する界面活性剤組成物の製造方法。
【化２】
2014221854.tif 000007
［但し式（２）中、Ｒ１は直鎖、分枝鎖を含んでもよい炭素数６〜２２のアルキル基、アルケニル基又はアルキル基／アルケニル基の混合物を示す。式（３）中、Ｒ２は水素原子又はメチル基を表わし、混合物でも良い。］
【化３】
2014221854.tif 000008
［但し式中Ｒ１は直鎖、分枝鎖を含んでもよい炭素数６〜２２のアルキル基、アルケニル基又はアルキル基／アルケニル基の混合物を示し、Ａ１Ｏ、Ａ２Ｏは各々オキシエチレン基、オキシプロピレン基から選ばれるオキシアルキレン基であり、同時にオキシエチレン基、オキシプロピレン基の混合でも良い。ｍ，ｎは互いに独立に０以上の実数であり、１≦（ｍ＋ｎ）≦３の関係がある。］
【発明の詳細な説明】
【技術分野】
【０００１】
本発明は、経時着色することの少ない色相良好なポリオキシアルキレンアルキルアミン含有界面活性剤組成物及びその製造方法に関するものである。
【背景技術】
【０００２】
ポリオキシアルキレンアルキルアミンは、一般的には無触媒、又はアルカリ金属、アルカリ土類金属の水酸化物などのアルカリ触媒の存在下において、脂肪族アミンにアルキレンオキサイドを付加して製造されている。
【０００３】
界面活性剤としての性能、アミン臭発生の防止等の理由により、脂肪族アミン１モルに対して１モル以上のアルキレンオキサイドを反応させるが、脂肪族アミン１モルに対してアルキレンオキサイドの付加モル数が２モル以上の化合物は、反応時あるいは、反応後経時的に着色が顕著になるという問題がある。
【０００４】
脂肪族アミン１モルに対してアルキレンオキサイド平均付加モル数が１モル以上２モル未満であっても、一般的な方法で製造されたポリオキシアルキレンアルキルアミン混合物中には付加モル数２以上のポリオキシアルキレンアルキルアミンを含有するため脂肪族アミン１モルに対してアルキレンオキサイドの付加モル数が２以上の化合物に比較して緩やかではあるが着色傾向にある。
【０００５】
即ち脂肪族アミン１モルに対して１モル以上のアルキレンオキサイドを付加したポリオキシアルキレンアルキルアミンには常に経時的な着色の問題が付きまとうことになる。
【０００６】
かかる問題を解決するため、前記着色を防止する方法として、低温で反応させる方法（特許文献１）、金属酸化物触媒または酸触媒を用いる方法（特許文献２）などが提案されている。
【先行技術文献】
【特許文献】
【０００７】
【特許文献１】特開２００３−９６１８６号公報
【特許文献２】特開２００５−１５４３７０号公報
【発明の概要】
【発明が解決しようとする課題】
【０００８】
しかしながら、これらの方法であっても、色調改善効果が得られるのは、脂肪族アミン１モルに対するアルキレンオキサイド付加モル数が少ない場合に限られ、付加モル数が２モルを超えて多くなるにつれ、色調改善効果は不十分となる。例えば、付加モル数が２モルを超える場合にはガードナーが１以下のものは得られていない。
【０００９】
尚、明細書内で使用する色相に関わる数値であるＡＰＨＡ及びガードナーは、基準油脂分析試験法に沿って測定されたものである。ＡＰＨＡとガードナーとの関係は、色味の違いにより確定的ではないが、一般的にＡＰＨＡ３００がガードナー色数１とほぼ同等であり、ＡＰＨＡ３００以下はガードナー色数１以下に相当するとされている。
【課題を解決するための手段】
【００１０】
本発明者は、ポリオキシアルキレンアルキルアミン混合物に種々添加剤を加えて、８０℃保存時の色相悪化が改善されるかどうか検討した。
【００１１】
検討の結果、特定の還元性無機化合物である亜リン酸及び／又は亜硫酸水素ナトリウムを合成時あるいは合成直後に添加することにより特異的にポリオキシアルキレンアルキルアミンの経時熱着色を抑制或いは改善することが分かった。
【００１２】
即ち本発明は、
（Ａ）ポリオキシアルキレンアルキルアミン混合物及び
（Ｂ）亜リン酸及び／又は亜硫酸水素ナトリウムを
（Ｃ）組成物全体に対してＢ成分を０．１〜２．０Ｗｔ％の濃度で含有する
ことを特徴とするポリオキシアルキレンアルキルアミン含有界面活性剤組成物、及び下記一般式（２）の脂肪族一級アルキルアミン１モルに対して亜リン酸及び／又は亜硫酸水素ナトリウムの存在下で下記一般式（３）のアルキレンオキサイドを１〜３モル反応させることを特徴とする下記一般式（１）で示されるポリオキシアルキレンアルキルアミン混合物を含有する界面活性剤組成物の製造方法に関するものである。
【００１３】
【化１】
2014221854.tif 000002
【００１４】
［但し式中Ｒ１は直鎖、分枝鎖を含んでもよい炭素数６〜２２のアルキル基、アルケニル基又はアルキル基／アルケニル基の混合物を示し、Ａ１Ｏ、Ａ２Ｏは各々オキシエチレン基、オキシプロピレン基から選ばれるオキシアルキレン基であり、同時にオキシエチレン基、オキシプロピレン基の混合でも良い。ｍ，ｎは互いに独立に０以上の実数であり、１≦（ｍ＋ｎ）≦３の関係がある。式（３）中、Ｒ２は水素原子又はメチル基を表わし、混合物でも良い。］
【発明の効果】
【００１５】
本発明のポリオキシアルキレンアルキルアミン混合物を含む界面活性剤組成物は、ポリオキシアルキレンアルキルアミンの優れた性能を損なうことなく、経時的な色相安定性に優れ、その効果は、本発明のポリオキシアルキレンアルキルアミンを含む界面活性剤組成物を配合した配合組成物の色相安定性に及ぶ為、ポリオキシアルキレンアルキルアミンを澄明な液体洗浄剤をはじめ各種化粧品に対して高濃度で配合できる。
【発明を実施するための形態】
【００１６】
以下、本発明の実施形態について説明する。
【００１７】
本発明界面活性剤組成物の主成分であるポリオキシアルキレンアルキルアミン混合物（Ａ）は、アルキル鎖長、ＰＯＡ付加モル数を調整することにより様々な特性を出すことのできるノニオン性界面活性剤である。
【００１８】
対応する脂肪族アミン１モルに
(i)  エチレンオキサイド及び／又は
(ii)  プロピレンオキサイドを
(iii)  合計で１モル以上、３モル以下で付加反応させる
ことにより得ることができる。
【００１９】
ポリオキシアルキレンアルキルアミン混合物（Ａ）の好ましい具体例としては、ＰＥＧ−２ヘキシルアミン、ＰＥＧ−１／ＰＰＧ−１ヘキシルアミン、ＰＰＧ−２ヘキシルアミン、ＰＥＧ−２オクチルアミン、ＰＥＧ−１／ＰＰＧ−１オクチルアミン、ＰＰＧ−２オクチルアミン、ＰＥＧ−２デシルアミン、ＰＥＧ−１／ＰＰＧ−１デシルアミン、ＰＰＧ−２デシルアミン、ＰＥＧ−２ドデシルアミン、ＰＥＧ−１／ＰＰＧ−１ドデシルアミン、ＰＰＧ−２ドデシルアミン、ＰＥＧ−２ココナッツアミン、ＰＥＧ−１／ＰＰＧ−１ココナッツアミン、ＰＰＧ−２ココナッツアミン、ＰＥＧ−２テトラデシルアミン、ＰＥＧ−１／ＰＰＧ−１テトラデシルアミン、ＰＰＧ−２テトラデシルアミン、ＰＥＧ−２ペンタデシルアミン、ＰＥＧ−１／ＰＰＧ−１ペンタデシルアミン、ＰＰＧ−２ペンタデシルアミン、ＰＥＧ−２ヘキサデシルアミン、ＰＥＧ−１／ＰＰＧ−１ヘキサデシルアミン、ＰＰＧ−２ヘキサデシルアミン、ＰＥＧ−２オクタデシルアミン、ＰＥＧ−１／ＰＰＧ−１オクタデシルアミン、ＰＰＧ−２オクタデシルアミン、ＰＥＧ−２アラキジルアミン、ＰＥＧ−１／ＰＰＧ−１アラキジルアミン、ＰＰＧ−２アラキジルアミン、ＰＥＧ−２ベヘニルアミン、ＰＥＧ−１／ＰＰＧ−１ベヘニルアミン、ＰＰＧ−２ベヘニルアミン、ＰＥＧ−２オレイルアミン、ＰＥＧ−１／ＰＰＧ−１オレイルアミン、ＰＰＧ−２オレイルアミンが挙げられる。
【００２０】
好適なポリオキシアルキレンアルキルアミン混合物として、一般式（１）
【００２１】
【化２】
2014221854.tif 000003
【００２２】
［但し式中Ｒ１は前記定義に同じで、Ａ１Ｏ、Ａ２Ｏは各々オキシエチレン基、オキシプロピレン基から選ばれるオキシアルキレン基であり、同時にオキシエチレン基、オキシプロピレン基の混合でも良い。ｍ，ｎは互いに独立に０以上の実数であり、１≦（ｍ＋ｎ）≦３の関係がある。］
で示されるポリオキシアルキレンアルキルアミンの混合物を挙げることができる。
【００２３】
これらの好適要素例がポリオキシアルキレンアルキルアミン混合物（Ａ）全体の平均として、一般式（１）に示されるｎとｍが１≦（ｍ＋ｎ）≦３となるように混合されている。
【００２４】
特に好ましくは、ＰＥＧ−２ドデシルアミンやＰＥＧ−２ココナッツアミン、ＰＥＧ−２テトラデシルアミンである。
【００２５】
原料となる脂肪族アミンは、前記一般式（２）で表され、炭素数６〜２２のアルキルアミン、アルケニルアミン又は、それらの混合物である。この時、原料のモノアルキルアミンの炭化水素鎖長を即ちポリオキシアルキレンアルキルアミン混合物の疎水基長を変えることにより様々な配合品への効果を与えることができる。
【００２６】
例えば疎水基長が炭素数１０以下であれば、洗浄剤組成物に配合した場合初期起泡を改善し、疎水基長が炭素数１０〜１６では、配合物の増粘、増泡に寄与し、炭素数１８以上になるとコンディショニング効果を与える性能を有する。
【００２７】
本発明の脂肪族第１級アミンのアルキレンオキサイド付加物混合物（Ａ）におけるヒドロキシアルキル基置換数に呼応するｍ，ｎは混合物全体の平均値で互いに独立に０以上の実数であり、１≦（ｍ＋ｎ）≦３の関係であることが重要である。
【００２８】
ｍ＋ｎが１未満である場合、激しいアミン臭が発生する場合があり好ましくない。ｍ＋ｎが３より大きい場合、アルキレンオキサイド付加物自身に着色が見られ、配合組成物の色相悪化にも繋がる。
【００２９】
本発明におけるＢ成分は亜リン酸及び／又は亜硫酸水素ナトリウムである。本発明者は、還元性無機塩をはじめとする各種添加剤による色相改善特性を検討したが、亜リン酸及び亜硫酸水素ナトリウムにのみ色相改善効果が認められた。
【００３０】
本発明の色相改善効果は、単に初期色相を悪化させないだけではなく、過酷な条件下において色相値（ガードナ数／ＡＰＨＡ）を減少させる効果を併せ持つ。本発明界面活性剤組成物の色相安定性の効果は、本発明界面活性剤組成物を含有する配合品、例えば台所洗剤、身体洗浄剤、シャンプー組成物等に配合しても維持されるため、本発明界面活性剤組成物を使用することによりこれらの配合製品高濃度のポリオキシアルキレンアルキルアミン混合物を配合することができる。
【００３１】
Ｂ成分の混合時期及び添加量に関して述べる。本発明界面活性剤組成物は、Ｂ成分をＡ成分合成後、Ｂ／（Ａ＋Ｂ）が０．１〜２．０Ｗｔ％含有する様に添加溶解させることによって製造できるが、Ｂ成分が本発明の添加量でＡ成分の合成条件を大きく変化させない為、Ａ成分合成をＢ成分の存在下に実施しても良い。Ａ成分の合成をＢ成分の存在下に行うと初期色相が若干改善される効果がある。
【００３２】
本発明界面活性剤組成物は経時的に若干の色相改善を呈しながら色相を安定化させるが、経時的に落ち着く色相はＢ成分の添加時期よらず一定である。
【００３３】
Ｂ成分の配合量は、Ｂ／（Ａ＋Ｂ）が０．１〜２．０Ｗｔ％になるように添加することが好ましい。Ｂ／（Ａ＋Ｂ）が０．１Ｗｔ％を下回ると色相安定性が認められず好ましくなく、２．０Ｗｔ％を超えて配合すると、本発明界面活性剤組成物を配合する配合品に配合される他の酸化還元性物質に影響がある場合や、結晶析出が発生する可能性があり好ましくない。
【実施例】
【００３４】
本発明の効果に関して以下の実施例によりさらに詳細に説明する。なお、表中の配合率は重量に基づくものである。
【００３５】
以下の方法により本件発明のポリオキシアルキレンアルキルアミン（一般式（１））に関わる物質を製造し、全て１Ｈ−ＮＭＲで構造を確認した。
【００３６】
色相安定性の指標として８０℃で３日保存後の色相の変化を指標とした。
【００３７】
色相がガードナー２程度であったものがガードナー８まで悪化してしまう。
【００３８】
製造例１  ココナッツアミンのエチレンオキサイド２．１モル付加物の合成
１リットルのオートクレーブにココナッツアミン（１．０ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ４００だった。
【００３９】
製造例２  ココナッツアミンのエチレンオキサイド２．２モル付加物の合成
１リットルのオートクレーブにココナッツアミン（１．０ｍｏｌ）を仕込み、窒素置換、昇温後に１５０±５℃でエチレンオキサイド付加(２．２ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ５００だった。
【００４０】
製造例３  ココナッツアミンのエチレンオキサイド３．０モル付加物の合成
１リットルのオートクレーブにココナッツアミン（１．０ｍｏｌ）を仕込み、窒素置換、昇温後に１５０±５℃でエチレンオキサイド付加(３．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡでは測定不能でガードナーによると５であった。
【００４１】
製造例４  ココナッツアミンのエチレンオキサイド１．５モル付加物の合成
１リットルのオートクレーブにココナッツアミン（１．０ｍｏｌ）を仕込み、窒素置換、昇温後に１５０±５℃でエチレンオキサイド付加(１．５ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ３００だった。
【００４２】
製造例５  オクチルアミンのエチレンオキサイド２．１モル付加物の合成
１リットルのオートクレーブにオクチルアミン（１．０ｍｏｌ）を仕込み、窒素置換、昇温後に１５０±５℃でエチレンオキサイド付加(２．１ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ３５０だった。
【００４３】
製造例６  ラウリルアミンのエチレンオキサイド２．１モル付加物の合成
１リットルのオートクレーブにラウリルアミン（１．０ｍｏｌ）を仕込み、窒素置換、昇温後に１５０±５℃でエチレンオキサイド付加(２．１ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ４００だった。上記の通り合成した各ポリオキシアルキレンアルキルアミンに種々の添加剤を加え、８０℃で３日間保存した時の色相を確認した。なお、色相値はＡＰＨＡ３００がガードナー色数１とほぼ同等としている。評価結果を表１及び表２に示す。
【００４４】
表１及び表２の結果から、実施例において、熱に対しても色相が悪化することなく、改善されていることがわかる。実施例１〜９と比較例１を比較すれば明らかである。また、実施例１〜４、乃至は実施例５〜９を見ると、添加量を減らしても着色防止効果が見られた。更に、エチレンオキサイドの付加量が多い場合、合成品取り上げ時の色相が非常に悪いにもかかわらず、色相の改善効果が認められた。
【００４５】
以上のように、ポリオキシアルキレンアルキルアミンに亜リン酸又は亜硫酸水素ナトリウムを添加することで色相良好なポリオキシアルキレンアルキルアミンを得ることができる。
【００４６】
【表１】
2014221854.tif 000004
【００４７】
【表２】
2014221854.tif 000005
【００４８】
実施例１５  ココナッツアミンのエチレンオキサイド２．１モル付加物の合成（Ｂ成分の存在下で合成する例）
１リットルのオートクレーブにココナッツアミン（１．０ｍｏｌ）、亜リン酸（０．０２ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ２５０だった。
【００４９】
実施例１６  ココナッツアミンのエチレンオキサイド２．１モル付加物の合成
１リットルのオートクレーブにココナッツアミン（１．０ｍｏｌ）、亜硫酸水素ナトリウム（０．０２ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。取り上げ品の色相はＡＰＨＡ２５０だった。
【００５０】
実施例１５及び１６で試作したポリオキシアルキレンアルキルアミン混合物を含有する界面活性剤組成物の初期色相はＡＰＨＡで２５０程度であった。８０℃３日後のＡＰＨＡは２００程度に測定され、Ｂ成分をＡ成分混合物の製造時に添加してもその効果が変わらない事を確認した
【００５１】
本発明界面活性剤組成部を台所洗剤に高濃度配合したときの配合品の色相変化に関して調査した。実施例１７は実施例４で試作した本件発明界面活性剤組成物を配合し、比較例１１は、製造例２のポリオキシアルキレンアルキルアミン混合物を使用して試作した
【００５２】
台所洗剤処方                                実施例１７              比較例１１
直鎖アルキルベンゼンスルホン酸ナトリウム      ４０％                  ４０％
ポリオキシアルキレンアルキルエーテル          １５％                  １５％
実施例４のポリオキシアルキレンアルキルアミン  １５％
製造例２のポリオキシアルキレンアルキルアミン                          １５％
安息香酸ナトリウム                              １％                    １％
エタノール                                      ５％                    ５％
プロピレングリコール                          １０％                  １０％
精製水                                          残部                    残部
【００５３】
実施例１７の初期色相はＡＰＨＡ２０であり８０℃３日後の色相はＡＰＨＡ４０であった。一方比較例１１の初期色相はＡＰＨＡ１００であり、８０℃３日後の色相はＡＰＨＡ４００であり、本件発明界面活性剤組成物の色相改善効果が配合品にも影響を与えていることがわかる。
【産業上の利用可能性】
【００５４】
本発明のポリオキシアルキレンアルキルアミン含有界面活性剤組成物は色相良好で経時着色することが少ないので、化粧品や洗浄剤等の配合品に配合しても色相良好で経時着色することがないため有用である。